(57)【要約】【課題】設置および用途の自由度を高めることができるとともに、周囲スペースの邪魔になることを抑え、不使用時においてもコンパクトに保管できるようにする。【解決手段】スクリーンパネル１０は、２枚のパネル部材１１、１１が、蝶番として機能する連結部材１２、１２によって、互いに回動可能に連結された構成を有する。パネル部材１１には、スリット状の嵌め合い凹部２０が形成され、この嵌め合い凹部２０に、デスクやカウンターの天板等、水平状の固定板１００を挿入し、嵌め合い凹部２０の内側に設けた固定部材２１、２２で固定板１００を挟み込むことでパネル部材１１を固定するようになっている。【選択図】図１
2010268962.tif 000002
【特許請求の範囲】
【請求項１】
複数枚のパネル部材と、
前記パネル部材同士を回動可能に連結する連結部材と、
複数枚の前記パネル部材のうちの少なくとも一枚に、前記連結部材が接続される一端部と反対側の他端部で設けられ、固定対象物の少なくとも一部を構成する被固定部が挿入され固定される凹部と、
を備えることを特徴とするスクリーンパネル。  
【請求項２】
前記凹部の内側に、前記被固定部を挟み込むことで前記パネル部材を前記固定対象物に固定する固定部材が設けられていることを特徴とする請求項１に記載のスクリーンパネル。
【請求項３】
前記固定部材は、前記被固定部の表面に押し当てられるプレート部を有していること特徴とする請求項２に記載のスクリーンパネル。  
【請求項４】
前記固定部材は、ネジ式であり、前記凹部の内側からの前記固定部材に向けての突出寸法が調整可能とされていることを特徴とする請求項２または３に記載のスクリーンパネル。
【請求項５】
前記被固定部が、側方に向かって突出する本体部材と、該本体部材を基端下側で支持するサポート材とを有するものであるときに、
前記凹部の開口端側の下側に、前記サポート材との干渉を回避する逃げ凹部が形成されていることを特徴とする請求項１から４のいずれかに記載のスクリーンパネル。
【請求項６】
前記パネル部材の角部が切り欠かれていることを特徴とする請求項１から５のいずれかに記載のスクリーンパネル。
【請求項７】
前記連結部材が、連結する二つの前記パネル部材の少なくとも一方に対して着脱自在に設けられていることを特徴とする請求項１から６のいずれかに記載のスクリーンパネル。
【請求項８】
前記被固定部が、デスクまたはカウンターの天板であることを特徴とする請求項１から７のいずれかに記載のスクリーンパネル。
【発明の詳細な説明】
【技術分野】
【０００１】
本発明は、オフィス等の空間を複数のエリアに区画するのに用いられるスクリーンパネルに関する。
【背景技術】
【０００２】
オフィス等の空間にて、空間を複数のエリアに区画するためのパネルが用いられている。
このようなパネルは、隣接するデスク間に挟み込まれるように配置されるもの、デスクに固定されるもの、自立して設けられるもの、等、さまざまなタイプがある。
【０００３】
近年、離間して設けられた支持フレームの間にクロス材を張設することによって構成されたスクリーンパネルが多く見られる（例えば、特許文献１〜５参照。）。
この様な構造とすることにより、スクリーンパネル自体の重量を小さく抑え、設置や移動の際におけるパネルの取扱いを良好なものとすることができる。また、主要部がクロス材で構成されるので、多様な形状を形成することが可能となると共に、完全に光を遮断することなく、空間を緩やかに仕切ることができるというメリットも有している。
【先行技術文献】
【特許文献】
【０００４】
【特許文献１】特開２００８−０９３０７１号公報
【特許文献２】特開２００６−１０９９４９号公報
【特許文献３】特開２００４−１５９６７４号公報
【特許文献４】特開２００５−０２１３９３号公報
【特許文献５】特開２００２−２０９６９５号公報
【発明の概要】
【発明が解決しようとする課題】
【０００５】
上記のようなスクリーンパネルの使用形態の一つに、デスクやテーブル等の什器に近接させることによって、デスクやテーブルを利用する者に、周囲から独立したパーソナル空間を提供するものがある。しかしこの場合、什器の天板とスクリーンパネルの端部とが互いに干渉してしまうため、設置条件が限られると共に、用途の自由度が損なわれてしまうという問題を有していた。
【０００６】
また、スクリーンパネルを自立させて用いる形態では、スクリーンパネルに脚部を備えるのが通常である。この脚部において、特に、スクリーンパネルを安定的に自立するために設けられた、スクリーンパネルの表面に直交する方向に突出した部分が足元等のスペースの邪魔になるという問題もある。
【０００７】
さらに、スクリーンパネルを使用しないときに、これらを収容・保管するに際し、従来のスクリーンパネルはコンパクト化することが困難、もしくは不可能なケースが多い。その結果、収容するためのスペースを広く確保しなくてはならないという問題を有していた。
【０００８】
そこでなされた本発明は、設置および用途の自由度を高めることができるとともに、周囲スペースの邪魔になることを抑え、不使用時においてもコンパクトに保管できるスクリーンパネルを提供することを目的とする。
【課題を解決するための手段】
【０００９】
本発明は、上記課題を解決するため、以下の手段を採用する。すなわち、本発明のスクリーンパネルは、複数枚のパネル部材と、パネル部材同士を回動可能に連結する連結部材と、複数枚のパネル部材のうちの少なくとも一枚に、前記連結部材が接続される一端部と反対側の他端部で設けられ、固定対象物の少なくとも一部を構成する被固定部が挿入され固定される凹部と、を備えることを特徴とする。
このスクリーンパネルは、パネル部材に形成された凹部に、固定対象物の被固定部を挿入して挟み込むことで、パネル部材を固定対象物に固定できるようになっている。これにより、パネル部材の下部に、パネル部材を安定して独立させるための脚部が不要となる。
ここで、固定対象物は、水平面内に位置する被固定部を有したものであればいかなる物であっても良い。例えば、被固定部としては、デスクまたはカウンターの天板がある。もちろん、これ以外の各種什器において水平面内に位置する板状の部材を被固定部として用いることができる。
【００１０】
凹部に、固定対象物の被固定部を挿入して挟み込むには、例えば、凹部の開口高さを被固定部の厚さとほぼ等しくし、凹部に被固定部を嵌合させる構成とすることもできるし、ボルト・ナットやネジ、釘等も用いることも可能である。
しかし、様々な被固定部に容易に設置・固定できる構成とするため、凹部の内側に、被固定部を挟み込むことでパネル部材を固定対象物に固定する固定部材を設けるのが好ましい。
このような固定部材は、被固定部の表面に押し当てられるプレート部を有しているのが好ましい。これにより、高い安定度でパネルを固定できる。
さらに、固定部材をネジ式とし、凹部の内側からの固定部材に向けての突出寸法を調整可能とするのが好ましい。
【００１１】
被固定部が、側方に向かって突出する本体部材と、該本体部材を基端下側で支持するサポート材とを有するものであるときに、凹部の開口端側の下側に、サポート材との干渉を回避する逃げ凹部を形成するのも好ましい。
【００１２】
また、パネル部材の角部を切り欠くようにすれば、使用者の視界が完全に閉塞されることが無く、使用時の圧迫感を和らげることができる。また、空間に自然な光を取り入れることもできる。さらに、スクリーンパネルによる周囲への圧迫感を緩和でき、またスクリーンパネルのデザイン上のアクセントとすることもできる。
【００１３】
連結部材を、連結する二つのパネル部材の少なくとも一方に対して着脱自在に設けるのが好ましい。これにより、使用時以外は、パネル部材を連結しない単体の状態で取り扱うことができ、搬送や保管等が容易となる。
また、パネル部材は、単体の状態で被固定部に固定して使用することもできる。
【発明の効果】
【００１４】
本発明によれば、パネル部材に形成されたスリット状の凹部に、固定対象物の被固定部を挿入して挟み込むことで、パネル部材を固定対象物に固定できるようになっている。これにより、パネル部材の下部に、パネル部材を安定して独立させるための脚部が不要となり、足元スペースが損なわれることもなく、スペースの有効利用、および外観向上を図ることができる。
このようなスクリーンパネルは、凹部に被固定部を挿入して固定させた状態の他、自立させた状態でも用いることができ、スクリーンパネルを空間内で設置する際の制約条件を緩和して様々な使用形態を提供でき、また、収納する場合にも、コンパクトに収納することができる。
さらには、パネル体同士の連結部材が着脱可能とされているので、パネル体単体でも仕切として使用する事ができ、スクリーンパネルとしての用途をより多様なものとすることができる。
【図面の簡単な説明】
【００１５】
【図１】本発明に係るスクリーンパネルの実施形態を示す立面図である。
【図２】パネル部材の平断面図である。
【図３】パネル部材に設けられた固定部材の使用形態を示す平断面図である。
【図４】連結部材を示す斜視図である。
【図５】スクリーンパネルの複数の使用形態の例を示す図である。
【図６】スクリーンパネルの使用形態例を示す斜視図である。
【図７】パネル部材を単体で用いた場合の例を示す斜視図である。
【図８】パネル部材を収納するときの例を示す斜視図である。
【発明を実施するための形態】
【００１６】
以下、添付図面を参照して、本発明によるスクリーンパネルを実施するための最良の形態を説明する。しかし、本発明はこれらの実施例のみに限定されるものではない。
【００１７】
図１は、本実施形態におけるスクリーンパネル１０を示す立面図である。
図１に示すように、スクリーンパネル１０は、２枚のパネル部材１１、１１が、蝶番として機能する連結部材１２、１２によって、互いに回動可能に連結された構成を有している。
【００１８】
図１、図２に示すように、パネル部材１１は、その外形形状に沿って連続して設けられたフレーム１３と、このフレーム１３に被せられることで、フレーム１３の内方を閉塞したスクリーン材１５と、から構成されている。スクリーン材１５には、各種の繊維材料からなるクロス材を用いることができる。このようなスクリーン材１５は、袋状として、フレーム１３に被せることができる。なお、パネル部材１１を形成する材料は、上記した構成に限らず、金属材料や樹脂材料をはじめとした各種材料からなるボード材によって形成することもできる。
【００１９】
図１に示したように、互いに隣接するパネル部材１１、１１同士を連結する部分においては、スクリーン材１５に開口部１６が形成されている。一方、図１、図３、図４に示すように、連結部材１２は、二つのパネル部材１１、１１のフレーム１３、１３に嵌め合うクランプ部１２ａ、１２ａを有している。クランプ部１２ａは、例えばフレーム１３が円形断面である場合、一部が開口した略Ｃ字状の断面形状とされている。このような連結部材１２は、連結すべき二つのパネル部材１１、１１同士を突き合わせた状態で、スクリーン材１５の開口部１６から連結部材１２のクランプ部１２ａ、１２ａを挿入して、双方のフレーム１３、１３に嵌め合わせる。これにより、二つのパネル部材１１、１１同士が連結部材１２により回動自在に連結される。
【００２０】
このようなクランプ部１２ａを有した連結部材１２は、クランプ部１２ａをフレーム１３に嵌め込むのみで良いので、ユーザでも容易に着脱を行うことができ、２枚のパネル部材１１、１１を連結したり、連結せずに単独で用いたり、使用形態を自在に変更できる。
なお連結部材１２は、互いに隣接するパネル部材１１、１１のうち、少なくとも一方のパネル部材１１に対して着脱可能とすれば良い。
【００２１】
図１に示したように、パネル部材１１には、連結部材１２によって他のパネル部材１１と連結される一方の端部１１ａとは異なる側の端部１１ｂから一方の側部１１ａ側に向かって、スクリーンパネル１０を設置した状態において水平方向となる方向に連続する、スリット状の嵌め合い凹部（凹部）２０が形成されている。
嵌め合い凹部２０には、固定対象物となるデスクやカウンターにおいて、固定対象物の少なくとも一部を構成して被固定部となる天板等、水平状の固定板（被固定部）１００が挿入され、この固定板１００に対してパネル部材１１を固定するようになっている。このため、嵌め合い凹部２０は、その開口する位置が想定される被固定部である固定板１００と略等しい高さに設定されるとともに、その開口幅が、少なくとも想定される固定板１００の最大厚さ以上になるよう設定されている。
【００２２】
嵌め合い凹部２０には、その上辺側と下辺側に、互いに上下に対向する位置に、パネル部材１１を固定板１００に固定するための固定部材２１、２２が設けられている。一方の固定部材２１は、一方向に延び、かつパネル部材１１の厚さと同等程度の幅を有した、例えば長円形、長方形状のプレート部２１ａと、プレート部２１ａの表面に直交して延びる雄ネジ部２１ｂとから形成されている。他方の固定部材２２は、パネル部材１１の厚さと同等程度の径を有した、例えば円形のパッド部２２ａと、パッド部２２ａの表面に直交して延びる雄ネジ部２２ｂとから形成されている。これら雄ネジ部２１ｂ、２２ｂは、パネル部材１１のフレーム１３に形成された雌ネジ部（図示なし）にねじ込まれている。
【００２３】
このような固定部材２１、２２は、それぞれを回転させることで、嵌め合い凹部２０の内方への突出寸法が調整できる。
そして、一方の固定部材２１のプレート部２１ａを固定板１００の表面に押し当てた状態で、この一方の固定部材２１と他方の固定部材２２とで固定板１００を挟み込むことで、パネル部材１１を、固定板１００に対して安定的に固定・支持できる。
【００２４】
なお、固定部材２１、２２は、どちらを上下に配しても良い。例えば、プレート部２１ａを有する固定部材２１を固定板１００の上方に配置する場合、図３中、実線で示すように、プレート部２１ａの長手方向をパネル部材１１が位置する面と平行にすることで、プレート部２１ａが側方に突出するのを抑えた状態で、パネル部材１１を固定板１００に固定できる。また、プレート部２１ａを有する固定部材２１を、固定板１００の下方に配置すれば、図３中、二点鎖線で示すように、プレート部２１ａをパネル部材１１の表面に直交させて位置させても、プレート部２１ａが固定板１００上での作業の邪魔になることがなく、パネル部材１１を固定板１００に安定して固定できる。
もちろん、固定部材２１、２２の双方を、プレート部２１ａを有する固定部材２１とすることもできる。さらに、これら固定部材２１、２２は先端形状を適宜他の構成とすることができる。
【００２５】
さて、嵌め合い凹部２０は、開口端２０ａ側に向けて、その開口高さが漸次大きくなるよう、嵌め合い凹部２０の開口端２０ａ側の下側に逃げ凹部１７を形成するのが好ましい。
この逃げ凹部１７により、固定板１００の下側に、固定板１００を基端下側で支持するためのサポート部１０１が存在する場合にも、サポート部１０１とパネル部材１１との干渉を防ぐことができる。
その結果、パネル部材１１を、嵌め合い凹部２０の奥まで挿入して、確実に固定することができる。
【００２６】
また、パネル部材１１において、他のパネル部材１１と連結される側の端部１１ａの上下の角部に切り欠き部１８Ａ、１８Ｂを形成することもできる。
特に、上側の切り欠き部１８Ａにより、スクリーンパネル１０による周囲への圧迫感を抑えることができる。また、切り欠き部１８Ａ、１８Ｂによって形成される部分により、スクリーンパネル１０で仕切られた外部空間から内部空間へと採光することができる。
このような切り欠き部１８Ａ、１８Ｂは、その形状や形成位置を限定するものではない。
【００２７】
パネル部材１１の底面には、パネル部材１１の高さ、水平度を調整するための脚１９、１９が設けられている。少なくとも一方の脚１９は、パネル部材１１の底面にネジ部材（図示無し）によってねじ込まれており、そのねじ込み量を調整することで、パネル部材１１の底面からの突出寸法を変更できるようになっている。
【００２８】
上述したようなスクリーンパネル１０は、デスクやカウンターの天板等の固定板１００を嵌め合い凹部２０に挿入し、さらに、一方の固定部材２１のプレート部２１ａを固定板１００の表面に押し当てた状態で、一方の固定部材２１と他方の固定部材２２とで固定板１００を挟み込むことで、パネル部材１１を、固定板１００に対して安定的に固定・支持できる。これにより、スクリーンパネル１０の一方の側の空間と他方の側の空間を区画することができる。
そして、固定板１００が挿入される嵌め合い凹部２０に、固定部材２１、２２が備えられているので、足元スペースを損なうことなく、パネル部材１１を確実に固定することができる。
【００２９】
このようなスクリーンパネル１０は、一方のパネル部材１１を固定板１００に固定した状態で、二枚のパネル部材１１、１１を直線状に配置して空間を区画しても良いし、図５、図６に示すように、一方のパネル部材１１に対して、他方のパネル部材１１を、平面視した状態で角度をなすように、連結部材１２によりパネル部材１１、１１同士を回動させて平面視Ｌ字状、あるいはく字状に折曲させて空間を区画しても良い。前者の、二枚のパネル部材１１、１１を直線状に配置した場合は、デスクやカウンターにおいて互いに隣接する空間を区画できる。後者の場合は、折曲させたスクリーンパネル１０の内側の空間を、周囲の空間から独立させたパーソナルな空間とすることができる。
【００３０】
さらに、上記スクリーンパネル１０は、嵌め合い凹部２０に固定板１００を挿入せず、一方のパネル部材１１に対して、他方のパネル部材１１を、平面視した状態で角度をなすように、平面視Ｌ字状、あるいはく字状とすることで、自立させて用いることもできる。この際、脚１９に代わって、固定部材２１を嵌め合い凹部２０から取り外してパネル部材１１の下端に取り付け、プレート部２１ａをパネル部材１１に交差するように配置しても良い。このようにすることで、固定部材１００を挿入せずにスクリーンパネル１０を単独で使用する際の自立安定性を高めることができ、それ故に二つのパネル部材１１、１１を角度をなすように配置させずとも自立させることが可能となる。
【００３１】
加えて、図７に示すように、連結部材１２がパネル部材１１、１１に対して着脱可能であることで、スクリーンパネル１０を構成する一枚のパネル部材１１を用いる使用形態とすることも可能である。その場合、嵌め合い凹部２０に固定板１００を挿入し、図１に示した固定部材２１、２２によりパネル部材１１を固定板１００に固定する。これにより、デスクやカウンター等の固定板１００上の空間を、一枚のパネル部材１１によって区画することができる。その場合、足元の空間が損なわれることもない。
【００３２】
また、スクリーンパネル１０を使用しないときには、パネル部材１１、１１を折り畳むことで、コンパクトに収納できる。さらに、例えば図８に示すように、パネル部材１１、１１を平面視Ｌ字状とし、柱や壁の角部等に沿わせて収納することができる。
【００３３】
このようにして、スクリーンパネル１０は、高い自由度で様々な使用形態で設置することができ、しかも足元スペースを損なうこともなく、不使用時の収納もコンパクトに行うことが可能となっている。
【００３４】
さらに、本実施形態において、それぞれ嵌め合い凹部２０、逃げ凹部１７、切り欠き部１８Ａ、１８Ｂを有したパネル部材１１、１１を左右対称に連結した構成のスクリーンパネル１０は、バタフライ状をなした特徴的な意匠を呈することができ、該スクリーンパネル１０を使用する使用空間のデザイン性向上を図ることができる。
【００３５】
なお、本発明のスクリーンパネルは、図面を参照して説明した上述の実施形態に限定されるものではなく、その技術的範囲において様々な変形例が考えられる。
例えば、上記実施形態では、２枚のパネル部材１１、１１によりスクリーンパネル１０を構成するようにしたが、３枚以上のパネル部材１１を連結してスクリーンパネル１０を構成することも可能である。その場合、各パネル部材１１の端部に開口部を形成しておくのが好ましい。これにより、上記のような連結部材１２を用いることで、連結するパネル部材１１、１１の数を容易に変更できる。
【００３６】
また、被固定部である固定板１０は、挿入された嵌め合い凹部２０に設けられた固定部材２１、２２に挟み込まれて固定されるものとしたが、嵌め合い凹部２０の開口幅を固定板１０の厚さと略等しくして、固定板１０が嵌め合い凹部２０自体に嵌め込まれるようにしても良い。
また、連結部材１２は、適宜他の構成に変更することができ、例えば、着脱を行わない構成とするのであれば、いわゆる蝶番を用いることもできる。
【００３７】
また、嵌め合い凹部２０は、固定板１００に固定する一枚のパネル部材１１のみに形成する構成としても良い。その場合、他のパネル部材１１については、他の形状であっても良い。
これ以外にも、本発明の主旨を逸脱しない限り、上記実施の形態で挙げた構成を取捨選択したり、他の構成に適宜変更することが可能である。
【符号の説明】
【００３８】
１０  スクリーンパネル
１１  パネル部材
１２  連結部材
１３  フレーム
１５  スクリーン材
１６  開口部
１７  逃げ凹部
１８Ａ、１８Ｂ  切り欠き部
１９  脚
２０  嵌め合い凹部（凹部）
２０ａ  開口端
２１、２２  固定部材
２１ａ  プレート部
１００  固定板（被固定部）
１０１  サポート部
【図１】
2010268962.tif 000003
【図２】
2010268962.tif 000004
【図３】
2010268962.tif 000005
【図４】
2010268962.tif 000006
【図５】
2010268962.tif 000007
【図６】
2010268962.tif 000008
【図７】
2010268962.tif 000009
【図８】
2010268962.tif 000010